(57)【要約】【課題】実際の消防設備を使用しなくても、該消防設備の操作を仮想的にシミュレーションして、該消防設備の操作方法を体験的に学習できるようにすること。【解決手段】商品のマニュアル情報が記録されたサーバーから該マニュアル情報をネットワークを介して情報端末装置に読み込み、該情報端末装置を用いて前記マニュアル情報を確認できるマニュアル提供システムであって、前記商品が消防設備であり、且つ前記マニュアル情報が前記消防設備の仮想操作シミュレーションであり、前記情報端末装置を用いて前記仮想操作シミュレーションを操作して前記マニュアル情報を学習できる構成にすることにより、実際の消防設備を使用しなくても、該消防設備の操作を仮想的にシミュレーションして、該消防設備の操作方法を体験的に学習できるようになる。【選択図】図１
2007072425.tif 000002
【特許請求の範囲】
【請求項１】
商品のマニュアル情報が記録されたサーバーから該マニュアル情報をネットワークを介して情報端末装置に読み込み、該情報端末装置を用いて前記マニュアル情報を確認できるマニュアル提供システムであって、
前記商品が消防設備であり、且つ前記マニュアル情報が前記消防設備の仮想操作シミュレーションであり、
前記情報端末装置を用いて前記仮想操作シミュレーションを操作して前記マニュアル情報を学習できる構成であること
を特徴とするマニュアル提供システム。
【請求項２】
前記情報端末装置は、
撮影手段を備えると共に、前記商品にマニュアル情報のアドレスがコード化されたコード化情報を設け、
該コード化情報を前記撮影手段を用いて撮影し、該撮影したコード化情報を前記情報端末装置で処理してマニュアル情報のアドレスに変換し、該アドレスに基づいて前記サーバーにアクセスすること
を特徴とする請求項１に記載のマニュアル提供システム。
【請求項３】
前記情報端末装置は、
位置情報取得手段を備え、
該位置情報取得手段により取得した位置情報をサーバーに送信して当該位置のマニュアル情報を特定できる構成であること
を特徴とする請求項１に記載のマニュアル提供システム。
【発明の詳細な説明】
【技術分野】
【０００１】
本発明は、例えば、携帯電話等の情報端末装置を用いて消防設備のマニュアル情報の仮想操作によるシミュレーションを行うことで、冊子のマニュアルを読まなくても消防設備の操作方法を体験的に学習できるマニュアル提供システムに関するものである。
【背景技術】
【０００２】
インターネットを経由して商品のマニュアル情報を取得する技術としては、例えば、電化製品の操作マニュアルが、前記電化製品と接続するコンピュータ及びインターネットを経由して、前記インターネットと接続されるマニュアルデータセンターから伝送され、前記電化製品の表示部に表示されることを特徴とするオンラインマニュアルシステムがある（特許文献１参照）。
【０００３】
この特許文献１の公知技術においては、ＵＳＢケーブル等を用いて電化製品をコンピュータに接続し、該コンピュータを用いてインターネット経由で取得したマニュアル情報を前記電化製品の表示部に表示させるというものである。
【０００４】
更に、インターネット等のネットワーク化されたコンピュータ環境において商品又はサービス等のマニュアル情報を提供するシステムであって、情報提供者に対しては、商品又はサービス等の供給者に関連する供給者関連情報と、上記商品又はサービスに関連する商品・サービス関連情報等とからなる商品・サービス検索情報と共に、統一規格化された仕様、検索機能、説明方法、操作方法等に基づいて上記商品又はサービスのマニュアル情報の入力を促し、情報受給者に対しては、情報提供者からの上記統一規格化されたマニュアル情報を上記商品・サービス検索情報に基づいて検索可能に提供するマニュアルネット情報システムがある（特許文献２参照）。
【０００５】
また、商品カタログ等に記載されたアドレスを入力する必要がなく、該アドレスに自動的にアクセスできる技術としては、例えば、バーコードリーダを有する端末装置と、バーコード情報に対応したＵＲＬ情報を登録する商品情報センターのサーバと、商品情報を提供する製造販売事業者のサーバをインターネットで接続した商品情報提供システムにおいて、前記端末装置には、商品を識別するバーコードを読み取るバーコード読み取り手段と、前記バーコード読み取り手段により読み取ったバーコード情報を、前記商品センターのサーバに送信する手段と、前記商品情報センターから送られるＵＲＬ情報を受信し、該当商品を提供する製造販売事業者のホームページを表示する手段とを備え、前記商品情報センターには、バーコード情報に対応する製造販売事業者のＵＲＬ情報を登録する情報データベースと、前記端末装置から送信されるバーコード情報を基に、前記情報データベースを検索する手段と、前記検索手段により取り出した製造販売事業者のＵＲＬ情報を、前記端末装置に送信する手段とを備え、前記製造販売事業者のサーバには、自社及び自社商品の内容について説明する情報をホームページで公開する手段と、該ホームページ上から商品の注文を受け付ける手段とを備えたことを特徴とする商品情報提供システムがある（特許文献３参照）。
【０００６】
この特許文献３の公知技術においては、商品カタログ等のバーコード情報をバーコード読み取り手段により読み取り、これに基づいてＵＲＬ情報を取得して情報データベースを検索するというものである。
【０００７】
更に、製品に付帯するマニュアル等の情報をバーコード等を利用して表示させる技術としては、例えば、製品に付帯する仕様、取扱説明書その他の付帯情報の表示方法であって、製品に係る電子情報化した付帯情報をメモリまたはバーコードから成る読み出し可能な記憶手段に記憶して該製品毎に付帯させ、該記憶手段に記憶する該付帯情報を情報処理可能な操作手段に適時に入力して表示手段に出力可能に構成すると共に、あるいは加えて使用状況を検知するセンサーとそのデータ処理手段を製品に付設し、該センサーが発信する検知データ中の有用履歴情報をファイル化して情報処理する該データ処理手段を介して記憶手段に入力可能に構成することを特徴とする製品付帯情報の表示方法がある（特許文献４参照）。
【０００８】
【特許文献１】特開２００３−２２８４５１号公報
【特許文献２】特開２００１−３０６５８５号公報
【特許文献３】特開２００２−１０８７４０号公報
【特許文献４】特開２０００−２７６５３４号公報
【発明の開示】
【発明が解決しようとする課題】
【０００９】
しかしながら、前記特許文献１〜４の公知技術を用いた場合、バーコード等のコード化されたコード化情報に基づいてネットワークを介して特定のアドレスにアクセスしてマニュアル情報を情報端末装置に読み込み、そのマニュアル情報を確認することはできるが、使用者は該マニュアル情報を単に読むだけでは、体験的に学習した場合と比較して、十分に理解をすることが困難であり、また時間を要することがある。
【００１０】
特に、対象とする商品が消防設備であるような場合には、商品としての消防設備という特殊性により、例えば、消火器を使用する場合における火元との距離や、消火器の操作方法や、消火手順等、体験的に学習してしまえば理解することが容易であるが、冊子等で形成されたマニュアルを読んでも理解が困難であり、また、実際に体験しようとして消火器を使用すると、次にその消火器を使用することができなくなってしまい、新品と交換する必要が生じ高額な費用を要することになってしまうため、一年に一回程度の防災訓練実施時にその代表者一名程度が実際に体験できる以外には、なかなか実際の消防設備を用いて訓練的体験ができないのが実情であり、そのため、実際の火災の場において、十分な消火活動がなされない場合があるという問題が生じている。
【００１１】
従って、従来の商品のマニュアルをネットワークを介して提供するシステムにおいては、特に商品が消防設備である場合に、実際の消防設備を使用しなくても、該消防設備の操作を仮想的にシミュレーションして、該消防設備の操作方法を体験的に学習できるようにするということに解決しなければならない課題を有している。
【課題を解決するための手段】
【００１２】
上記した従来例の課題を解決する具体的手段として本発明に係るマニュアル提供システムは、商品のマニュアル情報が記録されたサーバーから該マニュアル情報をネットワークを介して情報端末装置に読み込み、該情報端末装置を用いて前記マニュアル情報を確認できるマニュアル提供システムであって、前記商品が消防設備であり、且つ前記マニュアル情報が前記消防設備の仮想操作シミュレーションであり、前記情報端末装置を用いて前記仮想操作シミュレーションを操作して前記マニュアル情報を学習できる構成であることを最も主要な特徴とする。
【００１３】
この発明において、前記情報端末装置は、撮影手段を備えると共に、前記商品にマニュアル情報のアドレスがコード化されたコード化情報を設け、該コード化情報を前記撮影手段を用いて撮影し、該撮影したコード化情報を前記情報端末装置で処理してマニュアル情報のアドレスに変換し、該アドレスに基づいて前記サーバーにアクセスすることを付加的な要件として含むものである。
【００１４】
また、前記情報端末装置は、位置情報取得手段を備え、該位置情報取得手段により取得した位置情報をサーバーに送信して当該位置のマニュアル情報を特定できる構成であることを付加的な要件として含むものである。
【発明の効果】
【００１５】
本発明に係るマニュアル提供システムは、商品のマニュアル情報が記録されたサーバーから該マニュアル情報をネットワークを介して情報端末装置に読み込み、該情報端末装置を用いて前記マニュアル情報を確認できるマニュアル提供システムであって、前記商品が消防設備であり、且つ前記マニュアル情報が前記消防設備の仮想操作シミュレーションであり、前記情報端末装置を用いて前記仮想操作シミュレーションを操作して前記マニュアル情報を学習できる構成であるため、実際の消防設備を使用しなくても、使用者は情報端末装置を用いて消防設備の操作を仮想的にシミュレーションして、消防設備の操作方法を容易且つ体験的に学習できるという優れた効果を奏する。
【発明を実施するための最良の形態】
【００１６】
次に、本発明を具体的な実施の形態に基づいて詳しく説明する。
本発明の実施の形態に係るマニュアル提供システムのフローチャートを図１及び図２に示す。このマニュアル提供システムにおいては、対象となる商品として消防設備のマニュアル情報を所定のサーバーに予め記録させておき、該サーバーから前記マニュアル情報をインターネット等のネットワークを介して情報端末装置に読み込んで使用者（学習者）が確認できるようにするシステムである。なお、サーバーに予め記録されたマニュアル情報は、所定の手段により新しい情報に更新できるようにしても良い。
【００１７】
この情報端末装置としては、例えば、携帯電話またはコンピュータ等を使用することができ、特に、カメラまたはバーコードリーダー等の撮影手段を備えた携帯電話またはコンピュータ等の情報端末装置を使用することが好ましい。
【００１８】
前記情報端末装置において、前記ネットワーク上におけるサーバーのマニュアル情報のアドレス（ＵＲＬ）は、キーボード等の所定の入力手段を用いて直接入力ｆ１しマニュアルサイトを検索ｆ３しても良いが、例えば、商品として消防設備毎にそれぞれのマニュアル情報のアドレスを二次元バーコード等のコード化情報にコード化し、該コード化情報をそれぞれの消防設備に貼付等させて設け、このコード化情報を情報端末装置に備えられた撮影手段を用いて撮影し、該撮影したコード化情報を前記情報端末装置に備えられた処理手段により処理してマニュアル情報のアドレスに変換し、該アドレスをマニュアル情報のアドレス（ＵＲＬ）として読み込みｆ２、該アドレスに基づいて前記サーバーのマニュアル情報のアドレスに自動的にアクセスしてマニュアルサイトを検索ｆ３できるようにしても良い。
【００１９】
この検索されたマニュアルサイトは、情報端末装置に備えられた表示手段により使用者が確認できる状態で表示ｆ４される。この表示されるマニュアルサイトについて、情報端末装置として携帯電話を使用した場合の表示画面の例を図３に示してある。
【００２０】
携帯電話の表示画面１ａには、携帯マニュアルサイトにおいて選択し確認できる項目として、例えば、「はじめに」、「簡易マニュアル」、「ｍａｉｌ問合せ」、「電話問合せ」等の項目２が表示されている。ここで、例えば、「はじめに」を選択ｆ５すると、この携帯マニュアルサイトの概要が表示され、「簡易マニュアル」を選択ｆ５すると、マニュアルを学習できる項目が表示され、また「ｍａｉｌ問合せ」を選択ｆ５すると、所定のメールアドレスに送信できるメール入力画面が表示され、「電話問合せ」を選択ｆ５すると、所定の電話番号をダイヤルして、それぞれメールまたは電話で管理会社等に自動的に連絡できるようになっている。
【００２１】
ここで、例えば、「簡易マニュアル」を選択ｆ５すると、携帯電話の表示画面１ｂには、図４に示した簡易マニュアルで利用できる項目３を選択する画面が表示される。この簡易マニュアルで利用できる項目３のうち、例えば、操作シミュレーションの項目を選択ｆ６すると、使用者が操作することのできるマニュアルが表示され、その表示されたマニュアルに従って使用者は仮想的に消防設備の操作をシミュレーションして学習できるｆ８ようになっている。
【００２２】
消防設備の操作を仮想的にシミュレーションして学習する場合には、消防設備の機種、例えば、消火器や、消火設備等を選択ｆ１１する。図５に、消防設備の機種として、ガソリンスタンドの消火設備を選択ｆ１１した場合における携帯電話の表示画面１ｃの例を示してある。表示画面１ｃには、火災の感知ｆ１２として、例えば、区画４で出火したことを知らせる画面が表示される。
【００２３】
この火災の感知ｆ１２においては、使用者がその火災を確認するまで表示され続けるが、使用者がその火災を確認し所定の操作を行うと、図６に示したように、前記消火設備のコントロールパネルの画面１ｄが表示される。
【００２４】
ここで、始動開始の操作をして消火装置の起動ｆ１３を行うと、区画１〜４のいずれかを選択するようになり、例えば、誤って区画２を選択してしまうと、図７に示したように、区画２に消火剤が散布されて区画４の火災を消火できない画面１ｅが表示され、また正しく区画４を選択すると、図８に示したように、区画４に消火剤が散布されて火災が消火された画面１ｆが表示される。
【００２５】
消火作業が終了すると、前記消火装置を停止ｆ１４し、消火の判断ｆ１５を行う。そして、これら一連の消火活動における判定・注意事項、例えば、「もっと早く感知するように心がける。」や、「消火時間が遅い。」や、「消火達成率  ○○％（例えば９０％）」等が表示される。
【００２６】
このように、情報端末装置を用いて消防設備の操作を仮想的にシミュレーションしてマニュアル情報を学習できるようにしたため、一度使用してしまうと再利用できないような実際の消防設備を使用しなくても、消防設備の操作方法を容易且つ体験的に学習することができ、特に、前記情報端末装置として携帯電話を使用することにより、マニュアル情報を確認して学習する時間や場所等の制限がなく、容易に学習できるようになるのである。
【００２７】
なお、携帯電話等の情報端末装置を用いて、マニュアル提供システムによりマニュアル情報を確認して学習する場合には、例えば、マニュアル提供システムを特定の使用者のみが利用できるようにするため、所定のソフトウェア等がなければ利用できないようにしても良い。
【００２８】
次に、使用者の位置情報から、その位置情報に対応した物件のマニュアル情報をサーバーから取得して、該マニュアル情報を学習する方法について説明する。この使用者の位置により対応した物件のマニュアル情報を取得する場合のフローチャートを図９に示す。
【００２９】
この使用者の位置情報を検出する方法としては、例えば、ＧＰＳ（Ｇｌｏｂａｌ  Ｐｏｓｉｔｉｏｎｉｎｇ  Ｓｙｓｔｅｍ）衛星の信号を受信して位置を検出できる手段等の位置情報取得手段を用いることができ、この位置情報取得手段を備えた携帯電話を情報端末装置として用いることが好ましい。
【００３０】
この位置情報取得手段を装備した情報端末装置を用い、該位置情報取得手段により使用者の位置情報を検出ｆ２１する。この位置情報を検出した後、情報端末装置からインターネットを介してマニュアル情報が記録された所定のサーバー（マニュアルサイト）にアクセスし、該マニュアルサイトに前記検出した位置情報を送信ｆ２２する。
【００３１】
マニュアルサイトでは、送信された位置情報に基づいてマニュアルサイトに記録されたマニュアル情報を検索し、該当するマニュアル情報の名称（建物または会社名等）情報を情報端末装置に送信ｆ２３する。この際、前記送信された位置情報の周囲に登録された物件が複数存在する場合には、前記ＧＰＳ等の位置情報取得手段で検出した位置情報に誤差が生じている可能性があるため、その登録された複数物件の名称の一覧を情報端末装置に送信ｆ２４して情報端末装置の表示画面に表示し、その一覧から該当する名称情報を選択ｆ２５できるようにしても良い。
【００３２】
また、選択された名称情報の建物が複数階層からなる場合には、該当する階を選択ｆ２６できるようにする。この選択した階の平面図及び部屋割りを情報端末装置の表示画面に表示し、表示画面に従って該当する部屋を選択すると、該部屋に備えられた消防設備の種類が表示され、学習したい消防設備を選択できるようになる。
【００３３】
学習したい消防設備を選択ｆ２７すると、該選択された消防設備のマニュアル情報が情報端末装置の表示画面に表示される。従って、使用者は選択した固有の物件におけるより具体的で、且つ実際の消防設備に即したマニュアル情報を特定でき、そのマニュアル情報を学習できるようになる。
【図面の簡単な説明】
【００３４】
【図１】本発明の実施の形態に係るマニュアル提供システムにおいて、操作・学習するまでの過程のフローチャートである。
【図２】同マニュアル提供システムにおいて、消防設備の機種として消火設備を選択した場合のフローチャートである。
【図３】同マニュアル提供システムにおける情報端末装置の例として、携帯電話を使用した場合の表示画面を略示的に示した平面図であり、携帯マニュアルサイトの項目を選択する画面である。
【図４】同携帯マニュアルサイトの簡易マニュアルで利用できる項目を選択する画面である。
【図５】同携帯マニュアルサイトの火災感知画面である。
【図６】同携帯マニュアルサイトの消火設備のコントロールパネルの画面である。
【図７】同携帯マニュアルサイトにおいて、誤った消火活動をした場合を表した画面である。
【図８】同携帯マニュアルサイトにおいて、正しく消火活動をした場合を表した画面である。
【図９】同マニュアル提供システムにおいて、位置情報からマニュアル情報を取得する場合のフローチャートである。
【符号の説明】
【００３５】
１ａ〜１ｆ  携帯電話の表示画面
２  携帯マニュアルサイトで選択できる項目
３  簡易マニュアルで利用できる項目
【図１】
2007072425.tif 000003
【図２】
2007072425.tif 000004
【図３】
2007072425.tif 000005
【図４】
2007072425.tif 000006
【図５】
2007072425.tif 000007
【図６】
2007072425.tif 000008
【図７】
2007072425.tif 000009
【図８】
2007072425.tif 000010
【図９】
2007072425.tif 000011